【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
複数の同期信号(SSs)のための第1のサブキャリア間隔を識別するステップと、
同期信号(SS)バーストセットパターンの指示を受信するステップであって、前記SSバーストセットパターンを指示する無線リソース制御(RRC)送信を受信するステップを含む受信するステップと、
前記SSバーストセットパターンの前記受信した指示と前記第1のサブキャリア間隔とに少なくとも部分的に基づいて前記SSバーストセットパターンを識別するステップと、
前記受信された指示に少なくとも部分的に基づいて、1つまたは複数のSSの時間ロケーションを決定するステップであって、
前記SSバーストセットパターンの前記受信された指示に少なくとも部分的に基づいて、SSブロックの1つまたは複数のセットを監視するための位置を識別するステップと、
SSブロックの前記1つまたは複数のセットに関して前記識別された位置を監視するステップと
を含む、決定するステップと
を含み、
前記SSバーストセットパターンが、SSブロック情報を含むスロットのセットの中の1つまたは複数の占有されたスロット内の1つまたは複数のシンボルを指示する、方法。
【請求項２】
SSブロックの前記1つまたは複数のセットのSSブロックのセットが、1次同期信号(PSS)シンボル、2次同期信号(SSS)シンボル、1つまたは複数の物理ブロードキャストチャネル(PBCH)シンボル、および前記1つまたは複数のPBCHシンボルの1つまたは複数の復調基準信号(DMRS)を含み、
SSシンボルの前記セットの順序が、前記PSSシンボル、その後に前記1つまたは複数のPBCHシンボルのうちの第1のPBCHシンボル、その後に前記SSSシンボル、その後に前記1つまたは複数のPBCHシンボルのうちの第2のPBCHシンボル、その後に前記1つまたは複数のPBCHシンボルのうちの第3のPBCHシンボルが続くことを含む、
請求項1に記載の方法。
【請求項３】
前記SSバーストセットパターンの前記受信された指示に少なくとも部分的に基づいて、制御情報を監視するための位置を識別するステップ
をさらに含み、
SSブロックの前記1つまたは複数のセットが、第1のサブキャリア間隔で監視され、
前記制御情報が、第2のサブキャリア間隔で監視される、請求項1に記載の方法。
【請求項４】
SSブロックの前記1つまたは複数のセットに関して監視された前記位置より前のスロット内で制御情報を監視するステップであって、前記制御情報が、ダウンリンク制御情報を含む、監視するステップ
をさらに含み、
前記スロット内で前記制御情報を監視する前記ステップが、
SSブロックの前記1つまたは複数のセットに関して監視された前記位置より前の前記スロットの1個または2個のシンボル内で前記ダウンリンク制御情報を監視するステップ
を含む、請求項3に記載の方法。
【請求項５】
前記SSバーストセットパターンの前記受信された指示に少なくとも部分的に基づいて、SSブロックの前記1つまたは複数のセットのうちの2つの間のガード期間を識別するステップ
をさらに含む、請求項1に記載の方法。
【請求項６】
前記受信された指示に少なくとも部分的に基づいて、SSバーストセットパターンを識別するステップと、
前記識別されたSSバーストセットパターンに少なくとも部分的に基づいて、許可、もしくはシステム情報のペイロード、またはそれらの組合せの1つまたは複数の組合せの時間ロケーションを決定するステップと
をさらに含む、および/または
前記識別されたSSバーストセットパターンに少なくとも部分的に基づいて、1つまたは複数のランダムアクセスチャネル(RACH)リソースの時間ロケーションを決定するステップをさらに含む、および/または
前記識別されたSSバーストセットパターンに少なくとも部分的に基づいて、チャネル状態情報基準信号(CSI-RS)、もしくは測定基準信号(MRS)、またはそれらの組合せの時間ロケーションを決定するステップをさらに含む、請求項1に記載の方法。
【請求項７】
基地局におけるワイヤレス通信のための方法であって、
複数の同期信号(SSs)についての第1のサブキャリア間隔を識別するステップと、
前記第1のサブキャリア間隔に少なくとも部分的に基づいて、同期信号(SS)バーストセットパターンを識別するステップであって、前記SSバーストセットパターンが、SSブロックの1つまたは複数のセットに関する位置を指示する、識別するステップと、
前記識別されたSSバーストセットパターンの指示を送信するステップと、
前記識別されたSSバーストセットパターンに少なくとも部分的に基づいて、SSブロックの前記1つまたは複数のセットを送信するステップであって、前記識別されたSSバーストセットパターンを指示する無線リソース制御(RRC)送信を送信するステップを含む、送信するステップと
を含み、
前記SSバーストセットパターンが、SSブロック情報を含むスロットのセットの中の1つまたは複数の占有されたスロット内の1つまたは複数のシンボルを指示する、方法。
【請求項８】
前記SSバーストセットパターンを識別する前記ステップが、
前記SSバーストセットパターン内のSSブロックの前記1つまたは複数のセットの時間ロケーションを識別するステップ
をさらに含み、
前記SSバーストセットパターン内のSSブロックの前記1つまたは複数のセットの前記時間ロケーションが、前記SSバーストセットパターン内の前記SSブロックの、シンボル、またはスロット、または無線フレームロケーション、またはそれらの組合せを含む、請求項7に記載の方法。
【請求項９】
前記第1のサブキャリア間隔を識別する前記ステップが、
システム動作帯域幅に少なくとも部分的に基づいて、前記第1のサブキャリア間隔を識別するステップ
を含む、請求項7に記載の方法。
【請求項１０】
データ信号、アップリンク制御信号、およびダウンリンク制御信号のうちの少なくとも1つに関する第2のサブキャリア間隔を識別するステップと、
前記第2のサブキャリア間隔に少なくとも部分的に基づいて、前記SSバーストセットパターンを識別するステップと
をさらに含み、
前記第2のサブキャリア間隔を識別する前記ステップが、
システム動作帯域幅に少なくとも部分的に基づいて、前記第2のサブキャリア間隔を識別するステップ
を含む、請求項7に記載の方法。
【請求項１１】
SSブロックの前記1つまたは複数のセットのSSブロックのセットが、1次同期信号(PSS)シンボル、2次同期信号(SSS)シンボル、1つまたは複数の物理ブロードキャストチャネル(PBCH)シンボル、および前記1つまたは複数のPBCHシンボルの1つまたは複数の復調基準信号(DMRS)を含み、
SSシンボルの前記セットの順序が、前記PSSシンボル、その後に前記1つまたは複数のPBCHシンボルのうちの第1のPBCHシンボル、その後に前記SSSシンボル、その後に前記1つまたは複数のPBCHシンボルのうちの第2のPBCHシンボル、その後に前記1つまたは複数のPBCHシンボルのうちの第3のPBCHシンボルが続くことを含む、請求項7に記載の方法。
【請求項１２】
ユーザ機器(UE)におけるワイヤレス通信のための装置であって、
複数の同期信号(SSs)のための第1のサブキャリア間隔を識別するための手段と、
同期信号(SS)バーストセットパターンの指示を受信するための手段であって、前記SSバーストセットパターンを指示する無線リソース制御(RRC)送信を受信するための手段を含む受信するための手段と、
前記SSバーストセットパターンの前記受信した指示と前記第1のサブキャリア間隔とに少なくとも部分的に基づいて前記SSバーストセットパターンを識別するステップと、
前記受信された指示に少なくとも部分的に基づいて、1つまたは複数のSSの時間ロケーションを決定するための手段であって、
前記SSバーストセットパターンの前記受信された指示に少なくとも部分的に基づいて、SSブロックの1つまたは複数のセットを監視するための位置を識別するための手段と、
SSブロックの前記1つまたは複数のセットに関して前記識別された位置を監視するための手段と
を含む、決定するための手段と
を含み、
前記SSバーストセットパターンが、SSブロック情報を含むスロットのセットの中の1つまたは複数の占有されたスロット内の1つまたは複数のシンボルを指示する、装置。
【請求項１３】
請求項2から6のうちのいずれか一項に記載の方法を実行するための手段をさらに含む、請求項12に記載の装置。
【請求項１４】
基地局におけるワイヤレス通信のための装置であって、
複数の同期信号(SSs)についての第1のサブキャリア間隔を識別するための手段と、
前記第1のサブキャリア間隔に少なくとも部分的に基づいて、同期信号(SS)バーストセットパターンを識別するための手段であって、前記SSバーストセットパターンが、SSブロックの1つまたは複数のセットに関する位置を指示する、識別するための手段と、
前記識別されたSSバーストセットパターンの指示を送信するための手段と、
前記識別されたSSバーストセットパターンに少なくとも部分的に基づいて、SSブロックの前記1つまたは複数のセットを送信するための手段であって、前記識別されたSSバーストセットパターンを指示する無線リソース制御(RRC)送信を送信するための手段を含む、送信するための手段と
を含み、
前記SSバーストセットパターンが、SSブロック情報を含むスロットのセットの中の1つまたは複数の占有されたスロット内の1つまたは複数のシンボルを指示する、装置。
【請求項１５】
請求項8から11のうちのいずれか一項に記載の方法を実行するための手段をさらに含む、請求項14に記載の装置。